(57)【要約】      （修正有）【課題】  回転ブラシにおける菌の繁殖を防止することにより殺菌効果を向上させるようにした電気掃除機の吸込具を提供する。【解決手段】吸込口３と、吸込口３の近傍内部に配置された回転ブラシ４と、回転ブラシ４配置部分と延長管接続口をなすベンド５とを連通する吸込通路６と、回転ブラシ４に紫外線を照射するように配置された紫外線ランプ１１とを設ける。なお、紫外線ランプ１１は、回転ブラシ４の上方部から回転ブラシ４に紫外線を照射するようにしてもよい。【選択図】図１
2005040351.tif 000002
【特許請求の範囲】
【請求項１】
吸込口と、吸込口の近傍内部に配置された回転ブラシと、回転ブラシ配置部分と延長管接続口とを連通する吸込通路と、回転ブラシに紫外線を照射し得るように配置された紫外線ランプとを備えていることを特徴とする電気掃除機の吸込具。
【請求項２】
紫外線ランプは、回転ブラシの上方部から回転ブラシに向けて紫外線を照射するように構成されていることを特徴とする電気掃除機の吸込具。
【請求項３】
請求項２記載の電気掃除機の吸込具であって、吸込通路を形成する上面壁部の少なくとも一部に形成された透明壁部と、この透明壁部の外側に形成された紫外線ランプ収納部とを備え、この透明壁部及び前記紫外線ランプは、透明壁部を通して紫外線が回転ブラシに照射されるように構成されていることを特徴とする電気掃除機の吸込具。
【請求項４】
請求項２記載の電気掃除機の吸込具であって、吸込通路を形成する上面壁部の少なくとも一部に形成された透明壁部と、この透明壁部の外側に形成された紫外線ランプ収納部とを備え、透明壁部及び紫外線ランプは、透明壁部を通して紫外線が回転ブラシと吸込通路を通過する空気とに照射されるように構成されていることを特徴とする電気掃除機の吸込具。
【請求項５】
前記透明壁部は、透過する紫外線を拡散させるように凹レンズ状部を有することを特徴とする請求項３又は４記載の電気掃除機の吸込具。
【請求項６】
前記透明壁部は、紫外線ランプ収納部側の表面に、透過する紫外線を拡散させるしぼ加工部を有することを特徴とする請求項３又は４記載の電気掃除機の吸込具。
【請求項７】
請求項１〜６の何れか１項記載の電気掃除機の吸込具であって、紫外線ランプが点灯中であることを表示する表示灯が設けられてなることを特徴とする電気掃除機の吸込具。
【請求項８】
紫外線ランプは、回転ブラシ回転時のみ点灯するように構成されていることを特徴とする請求項１〜７の何れか１項記載の電気掃除機の吸込具。
【請求項９】
紫外線ランプは、電気掃除機の吸込具が所定角度以上に上下反転された場合に、消灯するように構成されていることを特徴とする請求項１〜８の何れか１項記載の電気掃除機の吸込具。
【請求項１０】
請求項３又は４記載の電気掃除機の吸込具であって、回転ブラシ前面部を覆い、かつ、回転ブラシの上方部を後方へスライド式に開閉自在に形成された不透明材料からなるシャッターを備え、このシャッターは、開放時に、前記透明壁部を介する紫外線ランプの照射を遮断するように構成されていることを特徴とする電気掃除機の吸込具。
【請求項１１】
シャッターは、前面部にショックアブソーバの役割をする当たり棒を備えており、当たり棒に衝突力が作用したときに開放されるように構成れていることを特徴とする請求項１０記載の電気掃除機の吸込具。
【発明の詳細な説明】
【技術分野】
【０００１】
本発明は、電気掃除機の吸込具に関し、特に、電気掃除機の吸込具に設けられている回転ブラシの殺菌に関する。
【背景技術】
【０００２】
従来、電気掃除機は、床面掃除において、回転ブラシにより床面のごみを掻き取って、掻き取ったごみを空気と共に吸い取ることにより清潔を要望する顧客に応えてきたが、近年、床面に存在する菌の除菌に対する要望が高まってきている。これに対応するには、ただ吸い込むだけでは問題があった。また、この要望に対応する一つのアイデアとして殺菌灯を床面に照射するものがあった。このような電気掃除機としては特許文献１記載のものがある。
【特許文献１】実開平３−２３１０１６号公報に係る明細書全文  第３頁第１０行〜第２０行
【発明の開示】
【発明が解決しようとする課題】
【０００３】
従来のものでは、床面のみが殺菌され、掃除の際、常時使用する回転ブラシが殺菌されず菌が繁殖するという問題があった。また、回転ブラシで菌が繁殖すると、電気掃除機から排気される空気中に菌が含まれて、再度室内にばら撒かれることになり殺菌効果が薄れるという問題点があった。
【０００４】
本発明は、このような問題点に着目してなされたものである。その目的とするところは、主として回転ブラシにおける菌の繁殖を防止することにより殺菌効果を向上させるようにした電気掃除機の吸込具を提供することにある。
【課題を解決するための手段】
【０００５】
本発明に係る電気掃除機の吸込具は、このような課題を達成するためになされたものであって、吸込口と、吸込口の近傍内部に配置された回転ブラシと、回転ブラシ配置部分と延長管接続口とを連通する吸込通路と、回転ブラシに紫外線を照射し得るように配置された紫外線ランプとを備えていることを特徴とする。
【０００６】
また、紫外線ランプを、回転ブラシの上方部から回転ブラシに向けて紫外線を照射するように構成しても良い。
【０００７】
また、上記発明において、吸込通路を形成する上面壁部の少なくとも一部に形成された透明壁部と、この透明壁部の外側に形成された紫外線ランプ収納部とを備え、この透明壁部及び前記紫外線ランプは、紫外線が透明壁部を通して回転ブラシに照射されるように構成してもよい。
【０００８】
また、上記発明において、吸込通路を形成する上面壁部の少なくとも一部に形成された透明壁部と、この透明壁部の外側に形成された紫外線ランプ収納部とを備え、透明壁部及び紫外線ランプは、透明壁部を通して回転ブラシと吸込通路を通過する空気とに照射されるように構成してもよい。
【０００９】
また、前記透明壁部は、透過する紫外線を拡散させる凹レンズ状部を有するように構成してもよい。
【００１０】
また、前記透明壁部は、紫外線ランプ収納部側の表面に、透過する紫外線を拡散させるしぼ加工部を有するように構成してもよい。
【００１１】
また、前記発明において、紫外線ランプ点灯中であることを表示する表示灯を設けてもよい。
【００１２】
また、前記紫外線ランプを、回転ブラシ回転時のみ点灯するように構成にしてもよい。
【００１３】
また、前記紫外線ランプを、電気掃除機の吸込具が所定角度以上に上下反転された場合に、消灯するように構成してもよい。
【００１４】
また、前記発明において、さらに、回転ブラシ前面部を覆い、かつ、回転ブラシの上方部を後方へスライド式に開閉自在に形成された不透明部材からなるシャッターを備え、シャッターは、シャッター開放時に前記透明壁部を介する紫外線ランプの照射を遮断するように構成されるようにしてもよい。
【００１５】
また、前記発明において、シャッターは、前面部にショックアブソーバの役割をする当たり棒を備えており、当たり棒に衝突力が作用したときに開放されるように構成れているものとしてもよい。
【発明の効果】
【００１６】
本発明によれば、紫外線が回転ブラシに向けて照射されるので、回転ブラシにおける菌の繁殖を防止することができる。また、回転ブラシを通過する吸込気中に含まれる塵埃も除菌されて掃除機本体に送られるので、掃除機本体からの排気により菌が室内にばら撒かれるのを低減することができる。
【００１７】
この場合において、紫外線を回転ブラシの上方から照射するようにすると、一部の紫外線が床面にも照射されることになり、床面の抗菌も同時に行うことができる。
【００１８】
また、上記構成の発明において、吸込通路を形成する上面壁部の少なくとも一部に形成された透明壁部と、この透明壁部の外側に形成された紫外線ランプ収納部とを備え、この透明壁部及び前記紫外線ランプは、透明壁部を通して紫外線を回転ブラシに照射し得るように構成すると、紫外線ランプが吸込通路中に配置されないので、紫外線ランプが塵埃で汚れることがない。したがって、紫外線ランプを長期間に亘り効率良く使用することができる。
【００１９】
また、上記構成の発明において、吸込通路を形成する壁部の少なくとも一部に形成された透明壁部と、この透明壁部の外側に形成された紫外線ランプ収納部とを備え、透明壁部及び紫外線ランプは、透明壁部を介し回転ブラシと吸込通路を通過する空気とを照射し得るように構成すると、紫外線ランプが吸込通路中に配置されないので、紫外線ランプが塵埃で汚れることがない。また、回転ブラシに紫外線が照射されることにより、回転ブラシにおける菌の増殖が抑制されると共に、吸込み空気に含まれる塵埃も吸込具を通過する際に抗菌されて本体に送られる。
【００２０】
また、上記構成の発明において、前記透明壁部に、透過する紫外線を拡散するように凹レンズ状部を設けると、紫外線を広範囲に照射することができ照射ムラを緩和することができる。
【００２１】
また、上記構成の発明において、前記透明壁部を、透過する紫外線を拡散するように紫外線ランプ収納部側の表面に、しぼ加工部を設けると、紫外線を広範囲に照射することができ照射ムラを緩和することができる。
【００２２】
また、上記構成の発明において、紫外線ランプ点灯中であることを表示する表示灯を設けると、取扱者の紫外線に対する注意が喚起され不注意による事故を回避することができる。
【００２３】
また、上記構成の発明において、紫外線ランプを回転ブラシ回転時のみ照射するようにすると、効率良く、かつ、回転ブラシ全体を抗菌することができる。すなわち、回転ブラシが回転しない状態で照射すれば、紫外線ランプが照射されない回転ブラシの部分で雑菌が増加するので、回転ブラシ全体を効率良く、かつムラなく抗菌することができない。これに対し、本発明の場合は回転ブラシ回転時にのみ紫外線ランプを点灯するので回転ブラシ全体を効率よく、かつ、ムラなく抗菌することができる。
【００２４】
また、上記構成の発明において、紫外線ランプを、電気掃除機の吸込具が上下反転した場合に、消灯するようにすると、吸込具が裏返ったときに紫外線が使用者の目に入って、目を痛める危険性を回避することができる。
【００２５】
また、上記構成の発明において、回転ブラシ前面部を覆い、かつ、回転ブラシの上方部を後方へスライド式に開閉自在に形成されたシャッターを有し、このシャッターを、開放時に前記透明壁部を介する紫外線ランプの照射を遮断するようにすると、紫外線ランプ点灯中にシャッターが開放されたときに紫外線が回転ブラシの方に照射されなくなるので、シャッターの開放部から外部に漏れるのを防止することができ、安全である。
【００２６】
また、上記構成の発明において、シャッターは、前面部にショックアブソーバの役割をする当たり棒を備えており、当たり棒に衝突力が作用したときに開放されるようにすると、強く当たったときの衝突力を、シャッターを開放させて緩和することができる。
【発明を実施するための最良の形態】
【００２７】
以下本発明の実施例につき説明する。
【実施例１】
【００２８】
先ず、実施例１について図１及び図２に基づき説明する。図１は本発明の実施例１に係る電気掃除機の吸込具の側断面図である。図２は同電気掃除機の概略制御回路図である。
【００２９】
実施例１に係る電気掃除機の吸込具１は、図１に示すように、ケース２の前面底部に吸込口３が形成され、その吸込口３内の近傍には回転ブラシ４が設けられ、ケース２の後方（図１における右方向）にベンド５が設けられ、吸込口３とベンド５との間に吸込通路６が形成されている。
【００３０】
吸込口３は、奥行き寸法は回転ブラシ４の直径よりやや大きく形成されており、吸込口３の前縁が回転ブラシ４の前面部と略一致するように形成されている。また、吸込口３の左右幅は回転ブラシ４の左右幅と略同寸とされている。
【００３１】
回転ブラシ４は、断面が略６角形の棒状芯体４ａを有し、この棒状芯体４ａの長手方向が左右方向（図１における紙面と直角の方向）となるように配置されている。そして、棒状芯体４ａの外周面には、ブラシ体４ｂが等間隔で左右方向に３本装着されている。また、回転ブラシ４は、モータ駆動とされている。このモータはケース２内に内蔵されている（図示せず）。回転ブラシ４をモータ駆動することで、床面の塵埃が掻き集められ、塵埃が吸込口３から空気と共に吸い込まれる。
【００３２】
ベンド５は、手元グリップ（図示せず）に接続された延長管（図示せず）の先端部に吸込具１を接続するためのものである、このベンド５は、ロータリーパイプ７を介してケース２に接続されている。ロータリーパイプ７は、ケース２の前後方向の水平軸周りに回転自在に取り付けられている。また、ベンド５は、ロータリーパイプ７に対し上下方向に回転自在に接続されている。この構成により、延長管に対し、吸込具１はあらゆる方向に対応可能に構成されている。
【００３３】
ケース２における回転ブラシ４の直上に位置する吸込通路の上面壁部１０が透明壁部として形成されている。以下透明壁部１０というときは上面壁部１０を意味するものとする。そして、この上面壁部１０の上方部は所定の空間部を設け、この空間部を紫外線ランプ１１を収納する紫外線ランプ収納部１２として形成している。紫外線ランプ１１は回転ブラシ４を強く照射するように、透明壁部１０を通して回転ブラシ４の上方から照射される。なお、この実施例１における透明壁部１０をさらに後方に拡張することもできる。
【００３４】
ケース２における回転ブラシ４の前方部、すなわち、ケース２の前方部には不透明部材からなる略半円の円弧状のシャッター１３が設けられている。このシャッター１３を開放することで、回転ブラシ４の前面部が開放され、回転ブラシ４の点検、取り外し、取付を容易にすることができる。なお、シャッター１３は適宜の手段により開閉可能に構成されている。このシャッター１３の前部（図１における左側）には、当たり棒１４が取り付けられている。当たり棒１４は、吸込具１の前面部が障害物に当たった場合のショックアブソーバの機能をなすものである。
【００３５】
前記紫外線ランプ１１及び回転ブラシ駆動用モータ１６は、図２のような電気回路に形成されている。すなわち、紫外線ランプ１１は、手元グリップ（図示せず）に設けられている手元スイッチ１７、床面検知スイッチ１８、及びシャッタースイッチ１９と直列に接続されている。ここに、手元スイッチ１７は電源をオンオフするスイッチである。また、床面検知スイッチ１８は床面に接触しているリミットスイッチであって、吸込具１が床面から離れた場合にこれを検出してオフになるスイッチである。また、シャッタースイッチ１９はシャッター１３の開放を検知するスイッチである。したがって、吸込具１が裏返しになるような場合には、この床面検知スイッチ１８がオフになる。
【００３６】
一方、回転ブラシ駆動用モータ１６は、手元スイッチ１７及び床面検知スイッチ１８と直列に接続され、シャッタースイッチ１９と紫外線ランプ１１との直列回路と並列に接続されている。したがって、手元スイッチ１７又は床面検知スイッチ１８により回転ブラシ駆動用モータ１６がオフになっているときは、必ず紫外線ランプ１１は点灯しない。換言すると、回転ブラシ駆動用モータ１６がオンの場合に限り紫外線ランプ１１を点灯させることができる。
【００３７】
実施例１は以上のように構成されているので、次のような作用効果を奏することができる。
【００３８】
紫外線ランプ１１から紫外線が回転ブラシ４に向けて照射されるので、回転ブラシ４における菌の繁殖を防止することができる。また、回転ブラシ４を通過する吸込気中に含まれる塵埃も除菌されて掃除機本体に送られるので、掃除機本体からの排気により菌が室内にばら撒かれるのを低減することができる。また、この場合において、紫外線を回転ブラシ４の上方から照射しているので、一部の紫外線が床面にも照射され、床面の抗菌をも行うことができる。
【００３９】
また、紫外線ランプ１１を吸込通路６中に配置すると紫外線ランプ１１が吸込通路６中の空気中に含まれる塵埃により汚されるが、この実施例では、回転ブラシ４上方の吸込通路６を形成する上面壁部の少なくとも一部に、透明壁部１０を形成し、この透明壁部１０の外側（この場合上方）に紫外線ランプ収納部１２を形成し、この透明壁部１０を通して紫外線を回転ブラシ４に照射するように構成しているので、紫外線ランプ１１が塵埃で汚れることがなく、長期間に亘り効率良く回転ブラシ４に照射することができる。
【００４０】
また、回転ブラシ４が回転しないときに、紫外線を回転ブラシ４に照射した場合は、紫外線が照射されない部分では雑菌が増加するので、回転ブラシ全体を効率良く、かつムラなく抗菌することができない。これに対し、本実施例の場合は回転ブラシ４の回転時のみ紫外線ランプ１１を点灯するので、回転ブラシ４全体を効率よく、かつ、ムラなく抗菌することができる。
【００４１】
紫外線ランプ１１を、電気掃除機の吸込具１が床面から離れたときに消灯するようにしているので、吸込具１が床面から離れたときに紫外線が使用者の目に入って、目を痛める危険性がない。
【００４２】
また、回転ブラシ４の前面部を覆い、かつ開閉自在に形成された不透明部材からなるシャッター１３を有し、このシャッター１３の開放時に、前記透明壁部１０を介する紫外線ランプ１１を消灯しているので、紫外線ランプ１１点灯中にシャッター１３が開放されたときに紫外線が紫外線ランプ収納部１２から漏れて来なくなり、安全である。
【実施例２】
【００４３】
次に、実施例２を図３に基づいて説明する。図３は、床面検知スイッチ１８としての上下反転検出スイッチの原理図を示す。
【００４４】
実施例２は、電気掃除機の吸込具が床面から離れたときに消灯するための床面検知スイッチ１８を、吸込具１が上下反転する際に（裏返しになる際に）作動する上下反転検出スイッチ２０としたものである。すなわち、この実施例２に係る上下反転検出スイッチ２０は、実施例１における床面検知スイッチ１８に代わるスイッチとして用いられる。
【００４５】
実施例２の上下反転検出スイッチ２０は、ケース２内に、例えば図１における吸込通路６内などに設けることができる。この上下反転検出スイッチ２０は、下部にリミットスイッチ２１が設けられ、このリミットスイッチ２１の上部に、リミットスイッチ２１のレバー２２を囲う上下方向の筒状体２３が設けられている。また、この筒状体２３の内部に重量体２４が筒状体２３内においてスライド可能に収納されている。したがって、この上下反転検出スイッチ２０では、吸込具１が使用状態にあるときは、重量体２４が下方に位置してリミットスイッチ２１のレバー２２を下方に押圧している。しかし、吸込具１が上下反転し約９０度以上回転したときは、重量体２４が下方に（すなわち、使用状態における上方側に）スライドするため、リミットスイッチ２１のレバー２２を押圧しなくなる。
【００４６】
なお、この上下反転検出スイッチ２０は、実施例１における床面検知スイッチ１８と同様に紫外線ランプ１１及び回転ブラシ駆動用モータ１６と直列に接続されている。
【００４７】
このように、吸込具１が使用状態位置にあるときは、重量体２４がリミットスイッチ２１のレバー２２を下方に押圧し、リミットスイッチ２１がオンされている。したがって、このときは紫外線ランプ１１が点灯可能の状態とされる。しかしながら、吸込具１が上下反転し約９０度以上回転したときは、重量体２４が図３における上方側（吸込具が上下反転したときの下方側）に逃げて、リミットスイッチ２１のレバー２２の押圧力が除去され、リミットスイッチ２１がオフされる。したがって、このときには紫外線ランプ１１が消灯される。
【００４８】
以上の如く、この実施例２に係る上下反転検出スイッチ２０によれば、吸込具が床面から少し離れた程度では作動しないが、吸込具１が上下反転し、９０度以上反転したときに確実に作動する。したがって、紫外線により使用者の目が痛めつけられることがない。
【実施例３】
【００４９】
次に、実施例３を図４及び図５に基づき説明する。図４は実施例３に係る電気掃除機の吸込具の側断面図である。図５は、同電気掃除機の概略制御回路図である。なお、実施例１に対応する部分には同一の符号を付しその説明を簡略化する。
【００５０】
実施例３は、シャッター３３をスライド式に開閉できるようにするとともに、紫外線ランプ１１からの紫外線の照射を回転ブラシ４と吸込通路６を通過する空気とに対し行うようにしたものである。図４において、紫外線ランプ１１は、実施例１の場合に比し後方側へ配置されるとともに、回転ブラシ４上方部からロータリーパイプ７に至る途中の吸込通路６の上面壁部３０を透明壁部としている。以下の記述において透明壁部３０というときは上面壁部３０を意味する。このように構成することにより、紫外線ランプ１１が回転ブラシ４と吸込通路６を通過する空気とを同時に照射することができる。なお、透明壁部３０の上方には、紫外線ランプ１１を収納する紫外線ランプ収納部１２が形成されている。また、ロータリーパイプ７に至る吸入通路６の全ての上面壁部を透明壁部とすることもできる。
【００５１】
シャッター３３は実施例１と同様の不透明材料からなる略半円の円弧状に形成されている。また、シャッター３３は、後方へ、すなわち紫外線ランプ収納部１２の透明壁部３０の上面へスライド式に収納されることにより開放可能に形成されている。シャッター３３が後方へスライドされると、シャッター３３が透明壁部３０の回転ブラシ４上方部を部分的に覆い、紫外線がこの部分を通って回転ブラシ４へ照射されることが防止され、シャッター３３の開放部分から紫外線が外部に漏れるのを防止している。
【００５２】
なお、シャッター３３は、前方の当たり棒１４が家具又は調度品などの障害物に当たったとき、家具又は調度品に押されて後方へ開くように形成されている。
【００５３】
この実施例３では、実施例１におけるシャッタースイッチ１９に代えてシャッター３３自身が、シャッター３３開放時の紫外線漏れを機構的に防止するように構成されている。このため実施例３に係る電気掃除機の電気回路は、図５のように構成され、実施例１のようなシャッタースイッチ１９が組み込まれていない。その他は図２と同一である。
【００５４】
上述の実施例３によれば、透明壁部３０及び紫外線ランプ１１を、紫外線ランプ１１の紫外線が透明壁部３０を介し回転ブラシ４と吸込通路６を通過する空気とを照射するように構成しているので、回転ブラシ４における菌の増殖が抑制されるとともに、吸込み空気に含まれる塵埃も吸込具１を通過する際に除菌されて掃除機本体に送られる。
【００５５】
また、実施例３によれば、紫外線ランプ１１点灯中にシャッター３３が開放されたとき、シャッター３３が透明壁部３０の回転ブラシ上方部を覆うので、紫外線が回転ブラシ４の方に照射されることがなく、また、シャッター３３の開放部からの紫外線の漏れが防止され、安全である。
【実施例４】
【００５６】
次に、実施例４を図６に基づき説明する。図６は実施例４に係る電気掃除機の吸込具の側断面図である。なお、実施例３に対応する部分には同一の符号を付し、その説明を省略する。
【００５７】
実施例４は、実施例３における紫外線ランプ収納部１２の上部に、紫外線ランプ１１が点灯中であることを表示する表示灯４０が配設されている。表示灯４０は、発光材料を含ませた透明樹脂製の発光棒４０ａ、この発光棒４０ａの一端面から光を照射する発光ダイオード（ＬＥＤ、図示せず）、透明材料からなるランプカバー４０ｂなどから構成されている。
【００５８】
また、実施例３における上面壁部３０に代わり、回転ブラシ４上方の上前壁部４１及びその後方の吸込通路６上方の上面壁部４２とに区分され、各上面壁部４１、４２が透明壁部に形成されている。そして、上面壁部４２の紫外線ランプ収納部１２側が凹面をなす凹レンズ状部４３が形成されている。なお、回転ブラシ４上方の上面壁部４１は実施例１における透明壁部１０と同一のものでよい。
【００５９】
実施例４はこのように形成されているので、紫外線ランプ１１が点灯すると、紫外線ランプ１１からの紫外線が上面壁部（透明壁部）４１、４２を通して回転ブラシ４と吸込通路６を通過する塵埃を含む空気とに照射される。このとき、凹レンズ状部４３を通して吸込通路６内に照射される紫外線は、凹レンズ状部４３により拡散される、吸込通路６を通過する空気に対し広範囲に照射される。
【００６０】
また、この実施例４によれば、紫外線ランプ１１を点灯したときは、表示灯４０が点灯されるので、紫外線ランプ１１点灯中であることの視認性が向上する。また、発光棒４０ａを吸込具１の左右に延びる長い棒状の表示灯として作動させることができるので、吸込具１のデザイン向上に寄与することができる。
【実施例５】
【００６１】
次に、実施例５を図７に基づき説明する。図７は実施例５に係る電気掃除機の吸込具の側断面図である。なお、実施例４に対応する部分には同一の符号を付し、その説明を省略する。
【００６２】
実施例５は、実施例４の場合と同様に、紫外線ランプ収納部１２の上部に紫外線ランプ１１が点灯中であることを表示する表示灯４０が配設されている。また、実施例４の場合と同様に、回転ブラシ４上方の上前壁部４１及びその後方の吸込通路６上方の上面壁部４２とに区分され、各上面壁部４１、４２が透明壁部に形成されている。そして、上面壁部４２の紫外線ランプ収納部１２側の表面にシボ加工部５０を備えている。
【００６３】
実施例５はこのように形成されているので、紫外線ランプ１１が点灯すると、紫外線ランプ１１からの紫外線が上面壁部（当面壁部）４１、４２を通して回転ブラシ４と吸込通路６を通過する塵埃とに照射される。このとき、シボ加工部５０を通して吸込通路６内に照射される紫外線は、シボ加工部５０により拡散され、吸込通路６を通過する空気に対し広範囲に照射される。
【００６４】
また、この実施例５によれば、実施例４と同様に、紫外線ランプ１１が点灯したときに表示灯４０が点灯されるので、紫外線ランプ１１が点灯中であることの視認性が向上する。また、発光棒４０ａを吸込具１の左右に延びる長い棒状の表示灯として作動させることができるので、吸込具１のデザイン向上に寄与することができる。
【００６５】
実施例４及び５に用いられている表示灯４０は、前述の実施例１、２及び３に用いることもできる。
【図面の簡単な説明】
【００６６】
【図１】本発明の実施例１に係る電気掃除機の吸込具の側断面図である。
【図２】同電気掃除機の概略制御回路図である。
【図３】本発明の実施例２に係る床面検知スイッチとしての上下反転検出スイッチの原理図を示す。
【図４】本発明の実施例３に係る電気掃除機の吸込具の側断面図である。
【図５】同電気掃除機の概略制御回路図である。
【図６】実施例４に係る電気掃除機の吸込具の側断面図である。
【図７】実施例５に係る電気掃除機の吸込具の側断面図である。
【符号の説明】
【００６７】
１     吸込具
３     吸込口
４     回転ブラシ
６     吸込通路
１１   紫外線ランプ
１０   上面壁部（透明壁部）
１２   紫外線ランプ収納部
１３   シャッター
２０   上下反転検出スイッチ
３３   シャッター
４０   表示灯
４１   上面壁部（透明壁部）
４２   上面壁部（透明壁部）
４３   凹レンズ状部
５０   シボ加工部
【図１】
2005040351.tif 000003
【図２】
2005040351.tif 000004
【図３】
2005040351.tif 000005
【図４】
2005040351.tif 000006
【図５】
2005040351.tif 000007
【図６】
2005040351.tif 000008
【図７】
2005040351.tif 000009